(57)【特許請求の範囲】
【請求項１】
第一葉片、第二葉片及び第三葉片が折り線を介して横方向に連接された単位シートを断面Ｚ字状又はＳ字状に折り畳むと共に、前記単位シートの折り畳みにより生じた二箇所の対向面間の内少なくとも一箇所の対向面間を、各対向面に形成された疑似接着フィルムシート（Ｇ）からなる疑似接着媒体を介して剥離可能に疑似接着してなる情報通信体であって、前記剥離可能に対向する両葉片に、その開封側縁辺のコーナー部分において、各対向面を前記疑似接着媒体で被覆されつつ、お互いに重なることなく突出する摘み部（Ａ、Ｂ及びＣ、Ｄ）が形成され、剥離、開封に際して前記両摘み部（Ａ、Ｂ及びＣ、Ｄ）を指で摘んで引き剥がすようにしたことを特徴とした水濡れに強い情報通信体。
【請求項２】
第一葉片、第二葉片及び第三葉片が折り線を介して横方向に連接された単位シートを断面Ｚ字状又はＳ字状に折り畳むと共に、前記単位シートの折り畳みにより生じた二箇所の対向面間の内少なくとも一箇所の対向面間を、各対向面に形成された疑似接着フィルムシート（Ｇ）からなる疑似接着媒体を介して剥離可能に疑似接着してなる情報通信体であって、前記剥離可能に対向する両葉片における一方の葉片に、その開封側縁辺に沿って疑似接着媒体の非形成域が設けられ、残る他方の葉片には、前記一方の葉片と前記疑似接着媒体の非形成域を除いて疑似接着可能に、全域にわたって前記疑似接着媒体が形成されると共にその開封側縁辺のコーナー部分において切り欠き部が形成され、それによって、前記両葉片に、その開封側縁辺のコーナー部分において、各対向面を前記疑似接着媒体で被覆されつつ、お互いに重なることなく突出する摘み部（Ｌ、Ｍ）が形成され、剥離、開封に際して前記両摘み部（Ｌ、Ｍ）を指で摘んで引き剥がすようにしたことを特徴とした水濡れに強い情報通信体。
【請求項３】
前記単位シートの折り畳みにより生じた二箇所の対向面間の内何れかの対向面間が剥離不能に完全接着している請求項１及び２の何れかに記載の水濡れに強い情報通信体。
【請求項４】
前記疑似接着媒体が、基材の一方の面に疑似接着層を形成したドライラミネート方式に対応した疑似接着フィルムシートである請求項１乃至３の何れかに記載の水濡れに強い情報通信体。
【請求項５】
前記疑似接着媒体が、基材の一方の面に疑似接着層を形成し、残るもう一方の面に感熱接着剤層を形成したサーマルラミネート方式に対応した疑似接着フィルムシートである請求項１乃至３の何れかに記載の水濡れに強い情報通信体。
【請求項６】
前記疑似接着媒体が、基材の一方の面に樹脂を剥離可能に積層した２層の積層フィルムシートの少なくとも一方の外側に感熱接着剤層を形成した少なくとも３層からなる疑似接着フィルムシートである請求項１乃至３の何れかに記載の水濡れに強い情報通信体。
【発明の詳細な説明】
【技術分野】
【０００１】
本発明は複数の葉片が剥離可能に折り畳まれ或いは切り重ねられた情報通信体に関する。
詳しくは本発明は、最近盛んに使用されている、見掛けは通常の葉書であるにも関わらず、複数の葉片が剥離可能に積層されているため、多くの情報を隠蔽状態で伝達することができる葉書に代表される情報通信体に関する。
【背景技術】
【０００２】
従来、前記複数の葉片が剥離可能に積層された葉書として、例えば特開２００４−９８６４４号公報に記載の葉書がある。前記特許文献では各葉片を剥離可能に接着（以下疑似接着という）する手段として、予め剥離可能に積層した疑似接着フィルムを使用するもの、印刷を施した後に疑似接着性の皮膜を形成するもの及び印刷を施す前に疑似接着性の樹脂を塗布しておくもの等の各手段を開示している。
【先行技術文献】
【特許文献】
【０００３】
【特許文献１】特開２００４−９８６４４号公報
【発明の概要】
【発明が解決しようとする課題】
【０００４】
前記各種疑似接着媒体を使用した情報通信体は、剥離可能に接着する疑似接着媒体同士の間から剥離するきっかけが得られれば、容易に開封して平面に展開することができる。然るに、例えば個人の郵便受けの中で雨水等により濡れてしまい、各葉片の紙繊維が容易に解れて破断してしまうような状態の場合、指先でしごいて疑似接着媒体同士の間から剥離しようとすると疑似接着している葉片の用紙が解れたり或いは分断したりするので前記疑似接着媒体同士の間から剥離するきっかけを得ることができない。
【０００５】
また、疑似接着媒体の接着性が良好すぎる場合も、前記水濡れの場合と同様に剥離に際して葉片の用紙が解れたり或いは分断したりするので剥離が困難になる。
【０００６】
本発明は、仮に水を吸って濡れた状態や疑似接着が良好で強過ぎる場合でも、疑似接着媒体同士の間から容易にしかも確実に剥離を開始することが可能で、受取人が必ず内部に記載されている内容を確認することができる水濡れに強い情報通信体を提供することを目的としている。
【課題を解決するための手段】
【０００７】
上記目的を達成するために、本発明の水濡れに強い情報通信体は、第一葉片、第二葉片及び第三葉片が折り線を介して横方向に連接された単位シートを断面Ｚ字状又はＳ字状に折り畳むと共に、前記単位シートの折り畳みにより生じた二箇所の対向面間の内少なくとも一箇所の対向面間を、各対向面に形成された疑似接着フィルムシートからなる疑似接着媒体を介して剥離可能に疑似接着してなる情報通信体であって、前記剥離可能に対向する両葉片に、その開封側縁辺のコーナー部分において、各対向面を前記疑似接着媒体で被覆されつつ、お互いに重なることなく突出する摘み部が形成され、剥離、開封に際して前記両摘み部を指で摘んで引き剥がすようにしたことを特徴としている。
【０００８】
また上記目的を達成するために、本発明の異なる水濡れに強い情報通信体は、第一葉片、第二葉片及び第三葉片が折り線を介して横方向に連接された単位シートを断面Ｚ字状又はＳ字状に折り畳むと共に、前記単位シートの折り畳みにより生じた二箇所の対向面間の内少なくとも一箇所の対向面間を、各対向面に形成された疑似接着フィルムシートからなる疑似接着媒体を介して剥離可能に疑似接着してなる情報通信体であって、前記剥離可能に対向する両葉片における一方の葉片に、その開封側縁辺に沿って疑似接着媒体の非形成域が設けられ、残る他方の葉片には、前記一方の葉片と前記疑似接着媒体の非形成域を除いて疑似接着可能に、全域にわたって前記疑似接着媒体が形成されると共にその開封側縁辺のコーナー部分において切り欠き部が形成され、それによって、前記両葉片に、その開封側縁辺のコーナー部分において、各対向面を前記疑似接着媒体で被覆されつつ、お互いに重なることなく突出する摘み部が形成され、剥離、開封に際して前記両摘み部を指で摘んで引き剥がすようにしたことを特徴としている。
【０００９】
なお、前記二箇所の対向面間は、両者とも剥離可能に疑似接着しても構わず、或いは何れか一箇所を疑似接着して残る一箇所を剥離不能に接着しても構わない。
【００１０】
上記対向する葉片を剥離可能に一体化するための疑似接着媒体として、例えば基材の片面に疑似接着層を形成した疑似接着フィルムシートがある。後述する実施例での疑似接着媒体は前記疑似接着フィルムシートを例に説明する。
【００１１】
前記疑似接着フィルムシートは、例えば、ポリエチレンテレフタレート、二軸延伸ポリプロピレン、ポリエチレン、アセテート、ポリカーボネート等の比較的腰の強い基材の一方の面に疑似接着層を形成したドライラミネート方式に対応したプリントラミネート用の疑似接着フィルムシートや、前記基材の残るもう一方の面に公知の感熱接着剤層を形成した、サーマルラミネート方式に対応したプリントラミネート用の疑似接着フィルムシートを好適に使用することができる。前記疑似接着フィルムシートとしては、例えばケイディケイ株式会社製の「ハガキフィルムドライ」や「ハガキフィルムサーマル」が販売されている。
【００１２】
前記疑似接着フィルムシートは、例えば印刷物の疑似接着予定面に被覆ラミネートして、その後前記疑似接着予定面同士を折り合わせ疑似接着層同士を対向させて加圧或いは加熱・加圧処理を施すと剥離可能に接着するものである。そして疑似接着後に前記対向面同士を引き剥がすと、疑似接着層同士の界面から剥離するか、或いは基材と何れかの疑似接着層との間から剥離するか、さらに前記両者の剥離が複合的に起こり、対向面同士を容易に剥離することができるのである。
【００１３】
前記二箇所の対向面の何れかを、剥離不能に接着する手段としては、加圧により接着する感圧性接着剤や加熱により接着する感熱性接着剤、或いは水分により接着する感湿性接着剤等公知の各種接着剤を使用すればよい。これら接着剤は直接或いは基材等を介して長尺状シートに予め形成されていてもよく、或いは基材の両面に形成したものを対向面間に挟みこんで使用しても構わない。
【００１４】
本発明の情報通信体を構成する各葉片に使用される紙材は、上質紙、マットコート紙、グロスコート紙、合成紙その他の公知の用紙等を好適に使用することができる。好ましくはマートコート紙やグロスコート紙のように表面処理が施されている塗工紙系（特にマットコート紙）が、用紙表面に塗工される成分が紙繊維同士のバインダー役を果たすため、水濡れに対しても解れたり或いは分断したりし難くなり、そのため本発明の作用をより効果的に発揮することができる。
【００１５】
本発明の情報通信体は、枚葉シートを使用したオフセット印刷により製造しても、或いは長尺状シートを使用したビジネスフォーム印刷や輪転印刷で製造しても構わない。オフセット印刷の場合、例えば印刷された用紙の疑似接着予定面へ疑似接着フィルムシートを被覆する等により疑似接着媒体を形成して、その後断裁、折り及び一体化工程等をオフラインで行えばよい。またビジネスフォーム印刷の場合、例えば印刷後の長尺状シートを情報通信体の製造機に掛ければ前記工程が一貫して行われるため至便である。
【００１６】
本発明において、情報通信体の剥離の端緒となる摘み部の形状に格別な制限はない。
例えば上下各葉片から積極的に突出した摘み部を設けても構わず、逆に上下各葉片の一部を切り欠くことにより結果として突出して摘みやすくなる摘み部が形成される構成でも構わない。何れにしても前記摘み部は、お互いが一致して重ならず、且つお互いに交錯する位置に形成され、前記摘み部を指で摘んで引き剥がせば確実に疑似接着媒体同士の間から剥離が開始される。そして一旦剥離が開始されると、水濡れや良好な疑似接着により葉片の紙繊維が解れたり或いは分断したりしやすい状態であっても連続的に剥離して展開することが可能になるのである。
【００１７】
なお、疑似接着媒体に関しては、前記折り合わせて対向させた疑似接着層から剥離する疑似接着フィルムシートの他に、例えば既述の基材の一方の面に熱可塑性或いは熱硬化性の樹脂を溶融押出しや塗工により剥離可能に積層した２層の積層フィルムシートの少なくとも一方の外側に、公知の感熱接着剤層を形成した３層以上の構成からなる疑似接着フィルムシートを使用しても構わない。この疑似接着フィルムシートの場合、前記基材と樹脂との間で剥離が行われる。
【発明の効果】
【００１８】
本発明の情報通信体の開封手段によれば、通常では簡単に破断して開封不能になる水濡れや疑似接着が良好すぎて強い剥離力を必要とする状態でも、容易に剥離を開始することができ、しかも途中で葉片が破断することなく確実に開封することができる。
【図面の簡単な説明】
【００１９】
【図１】（Ａ）、（Ｂ）及び（Ｃ）は三つ折り葉書Ｈ１の表面図、裏面図およびＲ−Ｒ線断面図である。
【図２】（Ａ）、（Ｂ）及び（Ｃ）は三つ折り葉書Ｈ２の表面図、裏面図およびＴ−Ｔ線断面図である。
【図３】（Ａ）、（Ｂ）及び（Ｃ）は三つ折り葉書Ｈ３の表面図、裏面図およびＵ−Ｕ線断面図である。
【図４】（Ａ）、（Ｂ）及び（Ｃ）は三つ折り葉書Ｈ１を開封して平面に展開した場合のそれぞれ平面図、裏面図及びＶ−Ｖ線断面図である。
【図５】（Ａ）、（Ｂ）及び（Ｃ）は三つ折り葉書Ｈ２を開封して平面に展開した場合のそれぞれ平面図、裏面図及びＷ−Ｗ線断面図である。
【図６】（Ａ）、（Ｂ）及び（Ｃ）は三つ折り葉書Ｈ３を開封して平面に展開した場合のそれぞれ平面図、裏面図及びＸ−Ｘ線断面図である。
【図７】疑似接着フィルムシートＧの部分拡大断面図である。
【図８】三つ折り葉書Ｈ１の開封時の剥離の端緒を説明する平面図である。
【図９】三つ折り葉書Ｈ２の開封時の剥離の端緒を説明する平面図である。
【図１０】三つ折り葉書Ｈ３の異なる態様を示すＸ−Ｘ線断面図である。
【発明を実施するための形態】
【００２０】
以下、本発明の実施の形態を、情報通信体として多用される三つ折り葉書を例に、図面に基づいて具体的に説明する。
［実施例１：三つ折り葉書その１］
図１（Ａ）〜（Ｃ）に示すように、本実施例の三つ折り葉書Ｈ１は、左下部分にコーナーカット部Ｋを設けた第一葉片１と、第二葉片２と、右下部分にコーナーカット部Ｋを設けた第三葉片３が折り線４、５を介して折り畳まれ、前記第二葉片２は、第一葉片１及び第三葉片３よりも若干幅が狭く形成されている。
【００２１】
そして同図（Ａ）に示すように、第一葉片１には、例えば郵便切手欄１０、郵便番号欄１１の他に受取人の住所氏名１２等が記載されており、郵便番号欄１１の上部に設けられている四箇所の丸窓１３から、第二葉片２に記載されている「郵便葉書」の文言が読み取ることができるように設計されている。
【００２２】
さらに同図（Ｂ）に示すように、第三葉片３には例えば宣伝広告等の一般情報１５が記載されている。なお前記宣伝広告等の一般情報を記載する代わりに、三つ折り葉書Ｈ１が完成した後に内部の情報が外部から透けて見えにくいように、地紋や連続パターン或いはベタ印刷等を施しても構わない。
【００２３】
後述する開封順序により平面に展開された三つ折葉書Ｈ１は、図４に示すように第二葉片２及び第三葉片３の両表面と第一葉片１及び第二葉片２の両裏面に疑似接着フィルムシートＧが被覆された状態にあり、受取人は透明或いは半透明の前記疑似接着フィルムシートＧを透して前記各葉片の表裏面に記載されている各種情報を視認することができる。
【００２４】
なお前記疑似接着フィルムシートＧが被覆されている各葉片の表裏面は、折り畳まれた状態では表出せず隠蔽状態である。従ってこの部分には、例えば受取人のプライバシーに関わる個人情報１４を記載することが可能であるが、必ずしもプライバシーに関わるものである必要はなく、一般情報が混在していても構わず、さらに一般情報のみでも構わない。
【００２５】
前記疑似接着フィルムシートＧは、図７に示すように、例えば二軸延伸ポリプロピレンからなる基材６１の上面に疑似接着層６２が形成されており、残る下面には公知の感熱接着剤層６３が形成されている。そして図１（Ｃ）に示すように、前記感熱接着剤層６３を介して各葉片の疑似接着予定面とサーマルラミネート方式により全面的に接着し被覆している。なお図中に記載される疑似接着フィルムシートＧは複雑化を避けるため一層で表現している。
【００２６】
また前記疑似接着フィルムシートＧに形成されている感熱接着剤層６３は予め基材６１に形成せずに、各葉片との貼り合わせの際に接着剤を塗布しながら被覆しても構わない。このような被覆ラミネート方式はドライラミネート方式として公知である。
【００２７】
次に本実施例の三つ折り封書Ｈ１の開封方法を説明する。
図８に示すように、図中Ａ、Ｂ及びＣ、Ｄで示す部分は、対向している両葉片共に疑似接着フィルムシートＧが被覆されており、なおかつ指で摘むことができるようお互いが重なることなく突出している。そして受取人は前記突出した部分のＡ及びＢ或いはＣ及びＤをそれぞれ指で摘まんで開封するのであるが、仮に三つ折り葉書Ｈ１が雨など水に濡れていても、強靭な疑似接着媒体である疑似接着フィルムシートＧを直接摘んで開封を開始するため、各葉片を構成する紙材が破断等を起こしたとしても疑似接着フィルムシートＧが破断しないため、容易に剥離開封することができるのである。
【００２８】
なお、各葉片を構成する紙材は疑似接着フィルムシートＧと強固に接着しているため、開封及び剥離動作の際に分断することなく疑似接着フィルムシートＧと共に剥離され、なお且つ情報記載面は疑似接着フィルムシートＧにより完全に保護されているため、開封後に確実に情報を確認することができる。
【００２９】
［実施例２：三つ折り葉書その２］
図２（Ａ）〜（Ｃ）に示すように、本実施例の三つ折り葉書Ｈ２は、左下部分にコーナーカット部Ｋを設けた第一葉片２１と、第一葉片２１よりも若干幅が広い第二葉片２２、及び右下部分にコーナーカット部Ｋを設けた第三葉片２３が折り線２４、２５を介して折り畳まれている。そして同図（Ａ）に示すように、第一葉片２１には、例えば郵便切手欄３０、郵便番号欄３１の他に受取人の住所氏名３２等が記載されており、同図（Ｂ）に示すように、第三葉片２３には例えば宣伝広告等の一般情報３４が記載されている。なお前記宣伝広告等の一般情報を記載する代わりに、三つ折り葉書Ｈ２が完成した後に内部の情報が外部から透けて見えにくいように、地紋や連続パターン或いはベタ印刷等を施しても構わない。
【００３０】
後述する開封順序により平面に展開された三つ折葉書Ｈ２は、図５に示すように第二葉片２２及び第三葉片２３表面と第一葉片２１及び第二葉片２２裏面に疑似接着フィルムシートＧが被覆された状態で、受取人は透明或いは半透明の前記疑似接着フィルムシートＧを透して前記各葉片の表裏面に記載されている情報を視認することができる。
【００３１】
なお前記疑似接着フィルムシートＧが被覆されている各葉片の表裏面は、折り畳まれた状態では表出せず隠蔽状態である。従ってこの部分には例えば受取人のプライバシーに関わる個人情報３３を記載することが可能である。しかし必ずしもプライバシーに関わるものである必要はなく、一般情報が混在していても構わず、さらに一般情報のみでも構わない。
【００３２】
次に本実施例の三つ折り封書Ｈ２の開封方法を説明する。
図９に示すように、図中Ｌ、Ｍで示す部分は、対向している両葉片の内第一葉片２１はＬ部分まで全面にわたって疑似接着フィルムシートＧが被覆されているが、対向する第二葉片２２は第一葉片２１のコーナーカット部Ｋの半ばまでしか疑似接着フィルムシートＧが被覆されていない。即ち、第一葉片２１の左側縁辺に沿って非接着領域（この部分は疑似接着フィルムシートＧ同士が対向しておらず従って接着していないため容易に剥離できる）が形成されているため、前記実施例１と同様に、図中Ｌ及びＭで示される部分で対向する葉片のそれぞれの疑似接着フィルムシートＧを直接指で摘むことができる。
【００３３】
この三つ折り葉書Ｈ２の受取人は、図中Ｌで示される部分とＭで示される部分（何れも対向面が疑似接着フィルムシートＧにより被覆されている）を指で摘まんで開封するのであるが、仮に三つ折り葉書Ｈ２が雨など水に濡れていても、強靭な疑似接着媒体である疑似接着フィルムシートＧを直接摘んで開封を開始するため、各葉片を構成する紙材が破断等を起こしたとしても疑似接着フィルムシートＧにより保護されているため容易に開封して連続的に剥離することができる。
【００３４】
なお、第二葉片２２及び第三葉片２３の開封に関しては、前記実施例１の場合と同様のため詳細な説明は省略する。
【００３５】
各葉片を構成する紙材は疑似接着フィルムシートＧと接着しているため、疑似接着フィルムシートＧの開封及び剥離動作と共に剥離され、なお且つ疑似接着フィルムシートＧと接着している情報記載面は完全に保護されているため、開封後に確実に情報を確認することができる。そして引き続き、前記と同様に、突出したＣ及びＤを摘んで残りの対向葉片を開封すればよいのである。
【００３６】
［実施例３：三つ折り葉書その３］
図３（Ａ）〜（Ｃ）に示すように、本実施例の三つ折り葉書Ｈ３は、ほぼ等しい幅の第一葉片４１と第二葉片４２、及び右下部分にコーナーカット部Ｋを設けた第三葉片４３が折り線４４、４５を介して折り畳まれている。そして同図（Ａ）に示すように、第一葉片４１には、例えば郵便切手欄５０、郵便番号欄５１の他に受取人の住所氏名５２等が記載されており、同図（Ｂ）に示すように、第三葉片４３には例えば宣伝広告等の一般情報５４が記載されている。なお前記宣伝広告等の一般情報を記載する代わりに、三つ折り葉書Ｈ３が完成した後に内部の情報が外部から透けて見えにくいように、地紋や連続パターン或いはベタ印刷等を施しても構わない。
【００３７】
本実施例の三つ折り葉書Ｈ３と既述の他の実施例の三つ折り葉書Ｈ１及びＨ２との相違は、第一葉片４１と第二葉片４２が剥離不能に接着されていることにある。したがって第二葉片４２および第三葉片４３の開封順序は実施例１に準じるため詳細な説明は割愛する。
なお、本実施例の三つ折り葉書Ｈ３は、第一葉片４１及び第二葉片４２が剥離不能に接着されているため最終的に二つ折りの状態に展開する。
【００３８】
既述の開封順序に沿って開封された三つ折り葉書Ｈ３は、図６に示すように、第一葉片４１と第二葉片４２が剥離不能に接着されているため、開封できるのは第二葉片４２と第三葉片４３になり最終的に２つ折りの形態になる。この葉書Ｈ３の受取人は開封後、透明或いは半透明の前記疑似接着フィルムシートＧを透して第二葉片４２及び第三葉片４３に記載されている情報を視認することができる。
【００３９】
なお本実施例３において、第一葉片４１及び第二葉片４２を両面接着フィルムシートＦにより剥離不能に接着しているが、図１０に示すように、前記両面接着フィルムシートＦに代えて疑似接着フィルムシートＧを使用しても構わない。この場合第一葉片４１及び第二葉片４２の対向面に、段差や切り欠き等による剥離開封手段が全く設けられていないため、受取人は容易に開封することができない。また仮に両葉片間を無理やり開封したとしても何ら情報が記載されていないので何の意味もない。このように構成した場合のメリットは、疑似接着フィルムシートＧと特性の異なるフィルムシートを使用すると、製造条件等が複雑になるため作業性が低下するところ、同一の疑似接着フィルムシートＧのみの製造条件で作業が行えるため極めて至便である。
【符号の説明】
【００４０】
Ｈ１、Ｈ２、Ｈ３  三つ折り葉書
Ｇ  疑似接着フィルムシート
Ｆ  両面接着フィルムシート
Ａ、Ｂ、Ｃ、Ｄ、Ｌ、Ｍ  摘み部
Ｋ  コーナーカット部
１、２、３、２１、２２、２３、４１、４２、４３  葉片
３、４、２４、２５、４４、４５  折り線
１０、３０、５０  郵便切手欄
１１、３１、５１  郵便番号欄
１２、３２、５２  受取人の住所氏名
１３  丸窓
１５、３４、５４  一般情報
１４、３３、５３  個人情報
６１  基材
６２  疑似接着層
６３  感熱接着剤層
【図１】
0005848508.tif 000002
【図２】
0005848508.tif 000003
【図３】
0005848508.tif 000004
【図４】
0005848508.tif 000005
【図５】
0005848508.tif 000006
【図６】
0005848508.tif 000007
【図７】
0005848508.tif 000008
【図８】
0005848508.tif 000009
【図９】
0005848508.tif 000010
【図１０】
0005848508.tif 000011